【手続補正書】
【提出日】平成31年1月18日(2019.1.18)
【手続補正１】
【補正対象書類名】特許請求の範囲
【補正対象項目名】全文
【補正方法】変更
【補正の内容】
【特許請求の範囲】
【請求項１】
ワイヤレス通信のための装置であって、
ベースバンド信号と関連付けられるベースバンドサブモジュールと、第1の高周波フロントエンド(RFFE)コンポーネントと、関連する第1のアンテナアレイとを備える第1のトランシーバチップモジュールであって、前記第1のRFFEコンポーネントおよび関連する第1のアンテナアレイが、第1の周波数範囲において通信するように構成される、第1のトランシーバチップモジュールと、
第2のRFFEコンポーネントと、関連する第2のアンテナアレイとを備える第2のトランシーバチップモジュールであって、前記第2のトランシーバチップモジュールが、前記第1のトランシーバチップモジュールとは別個のチップモジュール上に配置され、前記第1のトランシーバチップモジュールの前記ベースバンドサブモジュールへ電気的に結合され、前記第2のRFFEコンポーネントおよび関連する第2のアンテナアレイが、前記第1の周波数範囲と異なる第2の周波数範囲において通信するように構成される、第2のトランシーバチップモジュールと、
を備える、装置。
【請求項２】
前記第2のトランシーバチップモジュールを前記ベースバンドサブモジュールと電気的に結合する単一の同軸ケーブルをさらに備える、
請求項1に記載の装置。
【請求項３】
前記第2のトランシーバチップモジュールが、前記ベースバンド信号、ローカル発振器信号、制御信号、またはこれらの組合せのうちの少なくとも1つを、前記第1のトランシーバチップモジュールの前記ベースバンドサブモジュールから受信するように構成される、
請求項1に記載の装置。
【請求項４】
前記第2のトランシーバチップモジュールがさらに、
前記ベースバンドサブモジュールから受信された前記ベースバンド信号をアップコンバートし、ワイヤレス送信のために前記第2の周波数範囲内で信号を出力するように構成される周波数コンバータを備え、
前記周波数コンバータがさらに、ワイヤレス受信のために前記第2のRFFEコンポーネントから受信された信号をダウンコンバートし、前記ベースバンド信号の周波数を有する信号を出力するように構成される、
請求項1に記載の装置。
【請求項５】
前記ベースバンドサブモジュールがさらに、
前記第1の周波数範囲において通信するように構成される第1のモデムおよび前記第2の周波数範囲において通信するように構成される第2のモデム、または
前記第1の周波数範囲および前記第2の周波数範囲において通信するように構成されるデュアルバンドモデム
を備える、請求項1に記載の装置。
【請求項６】
前記第1の周波数範囲の信号が、前記第2の周波数範囲の信号と時分割多重化され、
前記第1のRFFEコンポーネントがゼロ中間周波数(IF)RFFEであり、前記第2のRFFEコンポーネントがスライディングIF RFFEである、
請求項1に記載の装置。
【請求項７】
前記ベースバンド信号が前記第1の周波数範囲内にあり、前記ベースバンド信号が、前記第2のトランシーバチップモジュールのための中間周波数(IF)として使用され、前記第2の周波数範囲に変換される、
請求項1に記載の装置。
【請求項８】
前記第1の周波数範囲が
前記第2の周波数範囲より低い、または、
ワイヤレス通信システムと関連付けられ、前記第2の周波数範囲がWi-Fi通信システムと関連付けられる、
請求項1に記載の装置。
【請求項９】
前記第1の周波数範囲および前記第2の周波数範囲がミリ波周波数範囲である、
請求項1に記載の装置。
【請求項１０】
ワイヤレス通信のための方法であって、
第1のトランシーバチップモジュールを介して第1の周波数範囲において通信するステップであって、前記第1のトランシーバチップモジュールが、ベースバンド信号と関連付けられるベースバンドサブモジュールと、第1の高周波フロントエンド(RFFE)コンポーネントと、関連する第1のアンテナアレイとを備え、前記第1のRFFEコンポーネントおよび関連する第1のアンテナアレイが、前記第1の周波数範囲において通信するように構成される、ステップと、
第2のトランシーバチップモジュールを介して第2の周波数範囲において通信するステップであって、前記第2のトランシーバチップモジュールが、第2のRFFEコンポーネントと、関連する第2のアンテナアレイとを備え、前記第2のトランシーバチップモジュールが、前記第1のトランシーバチップモジュールとは別個のチップモジュール上に配置され、前記第1のトランシーバチップモジュールの前記ベースバンドサブモジュールへ電気的に結合され、前記第2のRFFEコンポーネントおよび関連する第2のアンテナアレイが、前記第1の周波数範囲と異なる前記第2の周波数範囲において通信するように構成される、ステップと、
を備える、方法。
【請求項１１】
ワイヤレス通信のための装置であって、
第1の周波数範囲におけるワイヤレス通信のベースバンド処理のための第1のベースバンド回路と、第2の周波数範囲におけるワイヤレス通信のベースバンド処理のための第2のベースバンド回路とを備える、ベースバンドチップモジュールと、
前記ベースバンドチップモジュールとは別個のチップモジュール上に配置され、前記ベースバンドチップモジュールと電気的に通信しているデュアルトランシーバチップモジュールであって、前記デュアルトランシーバチップモジュールが、デュアルバンド高周波フロントエンド(RFFE)コンポーネントを備え、第1のアンテナアレイが前記第1の周波数範囲におけるワイヤレス通信のために適合され、第2のアンテナアレイが前記第2の周波数範囲におけるワイヤレス通信のために適合され、前記デュアルバンドRFFEコンポーネントが前記第1のアンテナアレイおよび前記第2のアンテナアレイと結合され、前記第1の周波数範囲および前記第2の周波数範囲のうちの少なくとも1つがミリ波周波数範囲である、デュアルトランシーバチップモジュールと、
を備える、装置。
【請求項１２】
前記第1のアンテナアレイが、
前記第2のアンテナアレイに対して前記デュアルトランシーバチップモジュールの反対側に配置される、または、
前記第2のアンテナアレイに対して前記デュアルトランシーバチップモジュールの異なる層に配置される、
請求項11に記載の装置。
【請求項１３】
前記ベースバンドチップモジュールが第1のマルチプレクサを備え、前記デュアルトランシーバチップモジュールが第2のマルチプレクサを備え、前記第1のマルチプレクサおよび前記第2のマルチプレクサが、前記ベースバンドチップモジュールと前記デュアルトランシーバチップモジュールとの間で交換される電気信号を多重化および逆多重化するように構成される、
請求項11に記載の装置。
【請求項１４】
前記ベースバンドチップと電気的に通信している前記デュアルトランシーバチップモジュールが、中間周波数(IF)信号、発振器信号、制御信号、またはこれらの組合せのうちの少なくとも1つを通信することを備える、
請求項11に記載の装置。
【請求項１５】
前記デュアルトランシーバチップモジュールが、ケーブルを介して前記ベースバンドチップモジュールと電気的に通信しており、前記ケーブルが高帯域幅信号の通信をサポートするように構成され、前記高帯域幅信号が、前記第1の周波数範囲と関連付けられる第1の中間周波数(IF)信号および前記第2の周波数範囲と関連付けられる第2のIF信号を備え、前記第1のIF信号が前記第2のIF信号と異なる、
請求項11に記載の装置。